(57)【特許請求の範囲】
【請求項１】
紙葉類を綴じ止めるための開閉可能な綴じ桿と、
押下操作を受けて前記綴じ桿を開放状態にするアンロック位置から綴じ桿を閉止状態にするロック位置へと変位し所定の保定機構を介してロック位置に保定され、かつロック位置にあるときに押下操作を受けて保定機構によるロック位置への保定を解除する操作体とを具備し、
前記操作体は、押下操作を受けて前記綴じ桿を開放状態にするアンロック位置から綴じ桿を閉止状態にするロック位置へと変位する第一の操作部と、押下操作を受けて前記保定機構による前記第一の操作部の保定を解除する第二の操作部とを備え、
前記第一の操作部が前記ロック位置から前記アンロック位置に向かう方向に弾性付勢され、
前記保定機構は、前記綴じ桿の足場となるベースに前記第一の操作部を係留するためのラッチを有し、
前記ラッチ及び前記第二の操作部が前記第一の操作部に可動に支持され、かつ前記ラッチが係合するラッチ受けが前記ベースに設けられており、
前記操作体がロック位置とアンロック位置との間を変位する際、前記ラッチ及び前記第二の操作部が前記第一の操作部とともに変位する綴じ具。
【請求項２】
前記綴じ桿は、第一の綴じ桿要素と、第一の綴じ桿要素に対し相対的に回動する第二の綴じ桿要素とを備え、両綴じ桿要素の先端部同士を開閉するものであり、前記第二の綴じ桿要素の基端部から回動軸心と交差する方向に突出した被押圧部が設けられる一方、
前記第一の操作部は、基端側を中心に先端側が上下に回動するものであり、その基端側と先端側との間に前記被押圧部を上方から押圧する下向面を有した押圧部が設けられている請求項１記載の綴じ具。
【請求項３】
前記第一の操作部の先端側に手指を掛けることのできる指掛領域が設定され、
前記第一の操作部の指掛領域から基端側に偏倚した部位に、前記第二の操作部における手指を掛けることのできる指掛領域が設定されている請求項１または２記載の綴じ具。
【請求項４】
前記ラッチと前記第二の操作部とが一体の部材として構成されている請求項１、２または３記載の綴じ具。
【請求項５】
前記ラッチと、ラッチを前記ラッチ受けに係合させる方向に弾性付勢する弾性体とが一体の部材として構成されており、
前記第二の操作部が受ける操作力により前記ラッチが前記弾性体の付勢力に抗して前記ラッチ受けから離反する請求項４記載の綴じ具。
【請求項６】
前記第一の操作部が下方に開口した中空状をなし、その内に前記第二の操作部が収容されるとともに、第一の操作部の下方に前記ラッチが突出している請求項１、２、３、４または５記載の綴じ具。
【請求項７】
前記第一の操作部に上方に開口した窓が設けられ、その窓から前記第二の操作部における手指を掛けることのできる指掛領域が露出している請求項６記載の綴じ具。
【請求項８】
前記押圧部が前記第一の操作部に一体成形されている請求項２記載の綴じ具。
【請求項９】
前記綴じ桿の足場となるベースから起立する起立部に開口が形成され、
前記第一の操作部に、前記起立部の開口内に挿入されその縁部に沿って上下動する突起が一体成形されている請求項１、２、３、４、５、６、７または８記載の綴じ具。
【請求項１０】
前記第一の操作部が板金材を加工してなる金属成形品である請求項１、２、３、４、５、６、７、８または９記載の綴じ具。
【請求項１１】
請求項１、２、３、４、５、６、７、８、９または１０記載の綴じ具を用いてなるものであって、
表表紙、背表紙及び裏表紙を連ねてなる表紙体の内面に前記綴じ具が取り付けられたファイル。
【発明の詳細な説明】
【技術分野】
【０００１】
本発明は、複数枚の紙葉類を綴じ込むためのファイル用綴じ具に関する。
【背景技術】
【０００２】
紙葉類を綴じるためのファイルは種々存在する。例えば、下記特許文献には、相対回動する一対の綴じ桿要素が紙葉類を綴じ止める環状体を形作る態様のファイルが開示されている。このファイルには操作レバーが設けられており、操作レバーを引き上げることで閉止していた綴じ桿が開放し、操作レバーを押し下げることで開放していた綴じ桿が閉止する仕組みになっている。
【０００３】
より詳しく述べると、綴じ桿は、ベースに立脚した固定の綴じ桿要素と、ベースに回動可能に支持させた可動の綴じ桿要素とを備えてなり、両綴じ桿要素の先端部同士を開閉するものである。可動の綴じ桿要素は、固定の綴じ桿要素から離間する方向に弾性付勢されている。可動の綴じ桿要素の基端部には、綴じ桿要素の回動軸心と交差する方向に突出したクランク軸が介在する。他方、操作レバーは、側面視略Ｌ字型をなし、一端が軸支されて揺動するものである。操作レバーの直角部分には、ローラが取り付いている。ローラは、可動の綴じ桿要素のクランク軸を押圧して綴じ桿を閉止状態に導くために機能する。
【０００４】
操作レバーが押し下げられると、その操作力によりローラを介してクランク軸が押圧され、付勢力に抗して可動の綴じ桿要素が固定の綴じ桿要素に連接する。このとき、操作レバーの回動軸とローラとを結ぶ線分がクランク軸に対して略直交し、トグル作用が営まれて綴じ桿の閉止状態が維持される。
【特許文献１】特開２００６−１８１８４６号公報
【特許文献２】国際公開ＷＯ２００５／０３５２６５号パンフレット
【発明の開示】
【発明が解決しようとする課題】
【０００５】
綴じ桿の開放を行う際、上記例のファイルでは、操作レバーをしっかりと把持して力を込めて引き上げる必要があった。上述のトグル作用により、操作レバーのローラと綴じ桿要素のクランク軸との間には強い摩擦が生じるので、両者の係合を解消するために大きな操作力を加えなくてはならないからである。
【０００６】
また、操作レバーを引き上げようとして、ファイル全体が持ち上がってしまうといったことも起こり得る。その場合、一方の手で操作レバーを把持しつつもう一方の手でファイルの表紙等を押さえておく、即ち両手を使って操作せざるを得ない。
【０００７】
以上の問題に初めて着目してなされた本発明は、綴じ具の使い勝手の向上、特に綴じ桿の開放を行う際の操作の簡便化を図ることを所期の目的としている。
【課題を解決するための手段】
【０００８】
本発明に係る綴じ具は、紙葉類を綴じ止めるための開閉可能な綴じ桿と、押下操作を受けて前記綴じ桿を開放状態にするアンロック位置から綴じ桿を閉止状態にするロック位置へと変位し所定の保定機構を介してロック位置に保定され、かつロック位置にあるときに押下操作を受けて保定機構によるロック位置への保定を解除する操作体とを具備してなり、前記操作体は、押下操作を受けて前記綴じ桿を開放状態にするアンロック位置から綴じ桿を閉止状態にするロック位置へと変位する第一の操作部と、押下操作を受けて前記保定機構による前記第一の操作部の保定を解除する第二の操作部とを備え、前記第一の操作部が前記ロック位置から前記アンロック位置に向かう方向に弾性付勢され、前記保定機構は、前記綴じ桿の足場となるベースに前記第一の操作部を係留するためのラッチを有し、前記ラッチ及び前記第二の操作部が前記第一の操作部に可動に支持され、かつ前記ラッチが係合するラッチ受けが前記ベースに設けられており、前記操作体がロック位置とアンロック位置との間を変位する際、前記ラッチ及び前記第二の操作部が前記第一の操作部とともに変位する。このようなものであれば、綴じ桿の閉止／開放の各々を、指一本での押下操作によって行うことが可能となる。とりわけ、上肢に障碍を持つ者等は、操作体を手指で摘み持ち上げるような操作が難しいケースがあるが、本発明に係る綴じ具は押下操作のみを以て綴じ桿の閉止／開放を行うことができ、さらに押下操作は手指以外の身体部位を使って行うこともできるため、ユニバーサルデザインとしての効用も高い。また、操作体を引き上げる操作に伴ってファイル全体が持ち上がってしまう不具合も避けられる。
【００１１】
前記綴じ桿が、第一の綴じ桿要素と、第一の綴じ桿要素に対し相対的に回動する第二の綴じ桿要素とを備え、両綴じ桿要素の先端部同士を開閉するものであり、前記第二の綴じ桿要素の基端部から回動軸心と交差する方向に突出した被押圧部が設けられる一方、前記第一の操作部が、基端側を中心に先端側が上下に回動するものであり、その基端側と先端側との間に前記被押圧部を上方から押圧する下向面を有した押圧部が設けられているならば、従前のファイルの如くトグル作用を利用するものにはならず、綴じ桿の開放を行う際に大きな操作力を加える必要がなくなる。また、操作体を大きく回動操作せずに済む。
【００１２】
第一の操作部と第二の操作部とが互いに離れ離れに位置していると、ユーザが綴じ具の使用方法に迷う懸念がある。前記保定機構が、前記綴じ桿の足場となるベースに前記第一の操作部を係留するためのラッチを有し、前記ラッチ及び前記第二の操作部が前記第一の操作部に可動に支持され、かつ前記ラッチが係合するラッチ受けが前記ベースに設けられているならば、第二の操作部の位置を第一の操作部に無理なく近接させることができる。
【００１３】
前記第一の操作部の先端側に手指を掛けることのできる指掛領域が設定され、前記第一の操作部の指掛領域から基端側に偏倚した部位に、前記第二の操作部における手指を掛けることのできる指掛領域が設定されているならば、第一の操作部の回動操作に有利な先端近傍に第一の操作部の指掛領域を配置でき、並びに、第二の操作部の指掛領域を第一の操作部の指掛領域に自然な形で隣接させることができる。
【００１４】
前記ラッチと前記第二の操作部とが一体の部材として構成されているならば、機構の単純化に奏効する。
【００１５】
前記ラッチと、ラッチを前記ラッチ受けに係合させる方向に弾性付勢する弾性体とが一体の部材として構成されており、前記第二の操作部が受ける操作力により前記ラッチが前記弾性体の付勢力に抗して前記ラッチ受けから離反するものとすれば、部品点数を削減できる。
【００１６】
前記第一の操作部が下方に開口した中空状をなし、その内に前記第二の操作部が収容されるとともに、第一の操作部の下方に前記ラッチが突出しているものとすれば、操作部全体としてコンパクト化する。また、第二の操作部、ラッチ等の比較的小形の部品を露骨に表出させずに済み、美観が高まる。
【００１７】
前記第一の操作部に上方に開口した窓が設けられ、その窓から前記第二の操作部における手指を掛けることのできる指掛領域が露出しているならば、第二の操作部の押下操作がし易くなる。
【００１８】
前記押圧部が前記第一の操作部に一体成形されているならば、部品点数及び組立工数の削減に奏効する。
【００１９】
前記ベースから起立する起立部に開口が形成され、前記第一の操作部に、前記起立部の開口内に挿入されその縁部に沿って上下動する突起が一体成形されているならば、起立部と突起との係わり合いを通じて第一の操作部のベースに対するがたつきを抑制することができる。
【００２０】
前記第一の操作部が板金材をプレス加工等してなる金属成形品であれば、低コストで作製できる上、その剛性も適切に確保できる。また、綴じ桿やベースは通常金属製であり、第一の操作部をも金属製とすることで綴じ具全体の統一感を具現できる。
【発明の効果】
【００２１】
本発明によれば、綴じ桿の開放を行う際の操作の簡便化が図られ、綴じ具の使い勝手が向上する。
【発明を実施するための最良の形態】
【００２２】
本発明の実施の形態を、図面を参照して説明する。説明の簡明化のため、ここでは操作レバー４、４ｘの回転中心側を前方、操作部４１、４１ｘ側を後方と定義する。図１及び図２に、本実施形態の綴じ具１を採用したファイルを示す。このファイルは、表紙体５の内面に複数枚の紙葉類を綴じ込むための綴じ具１を取り付けてなる。
【００２３】
表紙体５は、裏表紙５１と、裏表紙５１の側縁にヒンジを介して連なる背表紙５２と、背表紙５２の側縁にヒンジを介して連なる表表紙５３とを有する、例えば樹脂成形品である。図示例では、綴じ具１を、該表紙体５の裏表紙５１の内面、背表紙５２の傍らに取り付けている。
【００２４】
綴じ具１は、図３ないし図８に示すように、表紙体５に接合するベース２と、ベース２から立ち上がり紙葉類を綴じ止める環状体を形作る開閉可能な綴じ桿３と、綴じ桿３の開閉動作を惹起するべく操作される操作体たる操作レバー４とを主要な構成要素とする。
【００２５】
ベース２は、例えば板金材をプレス加工等してなるもので、その左側縁近傍には前後方向に延伸した筒部２１、２２を有している。筒部２１、２２は複数存在し、それらが互いに前後方向に離間している。ベース２の幅方向の中間部位には、操作レバー４を支持するための切り起こし片２３、２４、２５を設けてある。前端側における左右一対の切り起こし片２３、２４は、操作レバー４を回動可能に支持するための軸受の役割を担う。これら切り起こし片２３、２４には、幅方向に沿って支軸４１５を挿通する軸受孔２３１、２４１を穿っている。中央の切り起こし片２５は、操作レバー４の一定以上の上動を規制するストッパの役割を担う。中央の切り起こし片２５の高さは、前端側の切り起こし片２３、２４よりも高い。この切り起こし片２５の上方部位には、右側方に突出する突起２５１を形成している。中央の切り起こし片の左隣には、左上方から圧縮されて弾性力を発揮するばね２６を装着している。ばね２６は、例えば金属製の薄板ばねである。加えて、中央の切り起こし片２５から後方に下がった箇所に、前向きに突き出した鉤状をなすラッチ受け２７を起立させている。
【００２６】
綴じ桿３は、第一の綴じ桿要素３１、３２と、第一の綴じ桿要素３１、３２に対し相対的に回動する第二の綴じ桿要素３３、３４とを備え、両綴じ桿要素３１、３２、３３、３４の先端部同士を開閉し得るものである。本実施形態では、前後に一対の綴じ桿３を配している。第一、第二の綴じ桿要素３１、３２、３３、３４はそれぞれ、例えば金属棒またはパイプを曲げ加工してなる。
【００２７】
第一の綴じ桿要素３１、３２は、基端部即ち下端部がベース２に固着した不動のもので、概ね直線的に伸長し、先端付近で左方にやや湾曲している。第一の綴じ桿要素３１、３２の先端形状は、他の部位よりも細径となっている。前側の第一の綴じ桿要素３１はベース２の右前の隅角部に立脚し、後側の第一の綴じ桿要素３２はベース２の右後の隅角部に立脚する。
【００２８】
第二の綴じ桿要素３３、３４は、基端部即ち下端部から途中まで直線的に伸長し、そこから右方に大きく湾曲してアーチ形状をなす。第二の綴じ桿要素３３、３４の先端面は、第一の綴じ桿要素３１、３２の先端の細径部分を収容し得るように凹んでいる。第二の綴じ桿要素３３、３４は、基端で前後方向に屈曲して回動軸３３１、３４１を形成している。前後の第二の綴じ桿要素３３、３４の回動軸３３１、３４１の終端は、その軸心と交差する右側方に突き出したクランク状をなしており、両者はこのクランク軸３５を介して連続している。つまり、第二の綴じ桿要素３３、３４は一体をなしている。第二の綴じ桿要素３３、３４は、前後の回動軸３３１、３４１を前後の筒部２１、２２にそれぞれ収容することによって、ベース２に回動可能に支持させる。クランク軸３５は、前後の筒部２１、２２の間に位置し、上記ばね２６に左上方から覆い被さる。クランク軸３５は、操作レバー４によって上方から押圧される被押圧部となる。
【００２９】
操作レバー４は、綴じ桿３を開放状態にするアンロック位置と綴じ桿３を閉止状態にするロック位置との間で変位する第一の操作部４１と、ロック位置に到達した第一の操作部４１をロック位置に保定する保定機構と、第一の操作部４１に付帯し保定機構による第一の操作部４１の保定を解除する第二の操作部４２とを備える。
【００３０】
第一の操作部４１は、操作レバー４の外殻を構成する例えば樹脂成形品であり、下方に開口した中空状をなす。第一の操作部４１は、基端側即ち前端側を中心として、先端側即ち後端側が上下に回動する。詳述すると、第一の操作部４１の前端部は幅方向に膨張しており、その内にベース２の前端側の左右一対の切り起こし片２３、２４を収容することができる。第一の操作部４１の前端部の側壁には、上下方向に若干拡張した軸孔４１３、４１４を穿ち設けており、この軸孔４１３、４１４及び切り起こし片２３、２４の軸受孔２３１、２４１に挿通した支軸４１５によって第一の操作部４１をベース２に軸支させる。このとき、ベース２の中央の切り起こし片２５も、第一の操作部４１の内に収容される。第一の操作部４１における、中央の切り起こし片２５に臨む右側壁には、上下方向に延伸したスロット４１６が存在する。中央の切り起こし片２５から突出した突起２５１は、このスロット４１６に差し入り、スロット４１６の下縁と係合することを通じて第一の操作部４１の一定以上の上動を阻む。中央の切り起こし片２５に臨む左側壁は左側方向に大きく厚みを増し、その下向面でクランク軸３５及びばね２６を押圧する押圧部４１７として機能する。また、スロット４１６及び押圧部４１７から後方に下がった箇所の側壁の上壁近傍に、下記のラッチ４３及び第二の操作部４２を回動可能に支持するための軸受孔４１８、４１９を穿っている。その上で、第一の操作部４１の後端近傍の上壁面を、ユーザが手指を掛けて押下操作することのできる指掛領域４１１に設定している。この指掛領域４１１から前方に偏倚した部位には、上壁を上下方向に貫通する窓４１２を形成しておく。
【００３１】
本実施形態において、保定機構はラッチ４３によって第一の操作部４１をベース２に係留するものである。ラッチ４３と第二の操作部４２とは一体の部材であり、その部材を第一の操作部４１内に収容して、第一の操作部４１に可動に支持させている。ラッチ４３及び第二の操作部４２は、例えば樹脂成形品の幅狭な板状体である。ラッチ４３は、下方に伸長し、その下端部で後向きに突き出した爪４３１を有している。爪４３１の後縁は、側面視略楕円弧状をなす。ラッチ４３の上端近傍における左右の側面からは、ピン４３２、４３３を突出させている。しかして、第一の操作部４１の側壁に穿設した軸受孔４１８、４１９にこれらピン４３２、４３３を挿入することで、第一の操作部４１にラッチ４３を回動可能に支持させる。ラッチ４３の前側、ピン４３２、４３３と爪４３１との中間の高さ位置からは、上下厚が薄く上向きにやや湾曲した板ばね様の弾性体４３４が前上方に向けて伸長している。弾性体４３４の前端部は、第一の操作部４１の上壁に当接する。
【００３２】
第二の操作部４２は、ラッチ４３の後側に接合し、そこから後方に延伸している。第二の操作部４２の後端近傍の上面は上方に膨出し、第一の操作部４１の窓４１２から突出して露出している。この露出部分が、ユーザが手指を掛けて押下操作することのできる指掛領域４２１となる。第二の操作部４２の指掛領域４２１は、ちょうど第一の操作部４１の指掛領域４１１の前方に隣接する。
【００３３】
以降、本実施形態の綴じ具１の使用時の動作を述べる。操作レバー４、換言すれば第一の操作部４１が図２及び図８に示すアンロック位置に浮上しているとき、綴じ桿３は開放状態となる。即ち、ばね２６の付勢力によってクランク軸３５が図４中鎖線で示しているように左上方に押し上げられ、第二の綴じ桿要素３３、３４が回動軸３３１、３４１周りに左方に回動して、第二の綴じ桿要素３３、３４の先端部が第一の綴じ桿要素３１、３２の先端部から離間する。
【００３４】
ユーザが指掛領域４１１に手指を掛けて第一の操作部４１を押下操作すると、操作レバー４全体が支軸４１５を中心として下方に回動し、図１、図４及び図６に示すロック位置に至る。第一の操作部４１がロック位置に降下しているとき、綴じ桿３は閉止状態となる。即ち、第一の操作部４１がロック位置に向かい変位する過程で、その押圧部４１７の下向面がクランク軸３５を押圧し、ばね２６を圧縮しながらクランク軸３５を右下方に下降させる。これにより、第二の綴じ桿要素３３、３４が回動軸３３１、３４１周りに右方に回動し、最終的に第二の綴じ桿要素３３、３４の先端部が第一の綴じ桿要素３１、３２の先端部に接合する。
【００３５】
そして、第一の操作部４１がロック位置に到達したとき、図６に示しているように保定機構のラッチ４３の爪４３１がベース２のラッチ受け２７に係合して、第一の操作部４１をロック位置に保定する。第一の操作部４１がロック位置に近づくと、爪４３１の後縁がラッチ受け２７の前縁に当接する。そこからさらに第一の操作部４１が降下すると、爪４３１がラッチ受け２７によって前方に押され、爪４３１がラッチ受け２７から逃げるようにラッチ４３及び第二の操作部４２が第一の操作部４１内でピン４３２、４３３回りに（図７中、時計回りに）回動する。同時に、前端部を第一の操作部４１の上壁に当接させている弾性体４３４が、突っ張るように弾性変形して弾性力を蓄える。第一の操作部４１がロック位置まで完全に降下すれば、爪４３１の後縁がラッチ受け２７の前縁から離れ、爪４３１を前方に押していた力が失われるので、弾性体４３４の付勢力でラッチ４３及び第二の操作部４２がピン４３２、４３３回りに（図６中、反時計回りに）逆回動して元位置に復帰する。結果、爪４３１がラッチ受け２７に下方から係合する。
【００３６】
第一の操作部４１がロック位置にある状況下で、ユーザが指掛領域４２１に手指を掛けて第二の操作部４２を押下操作すると、弾性体４３４の付勢力に抗してラッチ４３及び第二の操作部４２が第一の操作部４１内でピン４３２、４３３回りに（図７中、時計回りに）回動し、爪４３１が前方に変位してラッチ受け２７から離反する。既に述べた通り、ばね２６は圧縮を受けており、クランク軸３５を左上方に押し上げる弾性力を蓄えている。このことは、第一の操作部４１が、押圧部４１７及びクランク軸３５を介して、ロック位置からアンロック位置に向かう上方向に弾性付勢されているということを意味する。従って、ラッチ４３とラッチ受け２７との係合による保定が解除された時点で、速やかに操作レバー４が上方に回動してアンロック位置に至るとともに、第二の綴じ桿要素３３、３４が左方に回動して綴じ桿３が開放状態となる。
【００３７】
本実施形態によれば、紙葉類を綴じ止めるための開閉可能な綴じ桿３と、押下操作を受けて前記綴じ桿３を開放状態にするアンロック位置から綴じ桿３を閉止状態にするロック位置へと変位し保定機構を介してロック位置に保定され、かつロック位置にあるときに押下操作を受けて保定機構によるロック位置への保定を解除する操作体４とを具備する綴じ具１を構成したため、綴じ桿３の閉止／開放の各々を、指一本での押下操作によって行うことが可能となる。また、操作体４を引き上げる操作に伴ってファイル全体が持ち上がってしまう不具合も避けられる。
【００３８】
紙葉類を綴じ止めるための開閉可能な綴じ桿３と、押下操作を受けて前記綴じ桿３を開放状態にするアンロック位置から綴じ桿３を閉止状態にするロック位置へと変位する第一の操作部４１と、前記ロック位置に到達した前記第一の操作部４１をロック位置に保定する保定機構と、押下操作を受けて前記保定機構による前記第一の操作部４１の保定を解除する第二の操作部４２とを具備する綴じ具１を構成したため、ユーザが直感的に操作を行うことができる。
【００３９】
前記第一の操作部４１が、前記ロック位置から前記アンロック位置に向かう方向に弾性付勢されているため、第二の操作部４２を押下するワンタッチ操作で速やかに綴じ桿３を開放状態とすることができる。
【００４０】
前記綴じ桿３が、第一の綴じ桿要素３１、３２と、第一の綴じ桿要素３１、３２に対し相対的に回動する第二の綴じ桿要素３３、３４とを備え、両綴じ桿要素３１、３２、３３、３４の先端部同士を開閉するものであり、前記第二の綴じ桿要素３３、３４の基端部から回動軸３３１、３４１の軸心と交差する方向に突出した被押圧部３１５が設けられる一方、前記第一の操作部４１が、基端側を中心に先端側が上下に回動するものであり、その基端側と先端側との間に前記被押圧部３１５を上方から押圧する下向面を有した押圧部４１７が設けられているため、従前のファイルの如くトグル作用を利用するものにはならず、綴じ桿３の開放を行う際に大きな操作力を加える必要がない。
【００４１】
前記保定機構が、前記綴じ桿３の足場となるベース２に前記第一の操作部４１を係留するためのラッチ４３を有し、前記ラッチ４３及び前記第二の操作部４２が前記第一の操作部４１に可動に支持され、かつ前記ラッチ４３が係合するラッチ受け２７が前記ベース２に設けられているならば、第二の操作部４２の位置を第一の操作部４１に無理なく近接させることができ、ユーザが綴じ具１の使用方法に迷う懸念がない。
【００４２】
前記第一の操作部４１の先端側に手指を掛けることのできる指掛領域４１１が設定され、前記第一の操作部４１の指掛領域４１１から基端側に偏倚した部位に、前記第二の操作部４２における手指を掛けることのできる指掛領域４２１が設定されているため、第一の操作部４１の回動操作に有利な先端近傍に第一の操作部４１の指掛領域４１１を配置でき、並びに、第二の操作部４２の指掛領域４１１を第一の操作部４１の指掛領域４１１に自然な形で隣接させることができる。
【００４３】
前記ラッチ４３と前記第二の操作部４２とが一体の部材として構成されているため、機構の単純化に奏効する。
【００４４】
前記ラッチ４３と、ラッチ４３を前記ラッチ受け２７に係合させる方向に弾性付勢する弾性体４３４とが一体の部材として構成されており、前記第二の操作部４２が受ける操作力により前記ラッチ４３が前記弾性体４３４の付勢力に抗して前記ラッチ受け２７から離反するものとしており、部品点数を削減できる。
【００４５】
前記第一の操作部４１が下方に開口した中空状をなし、その内に前記第二の操作部４２が収容されるとともに、第一の操作部４１の下方に前記ラッチ４３が突出しているものとしたため、操作体４全体としてコンパクト化する。また、第二の操作部４２、ラッチ４３等の比較的小形の部品を露骨に表出させずに済み、美観が高まる。
【００４６】
前記第一の操作部４１に上方に開口した窓４１２が設けられ、その窓４１２から前記第二の操作部４２における手指を掛けることのできる指掛領域４２１が露出しているため、第二の操作部４２の押下操作がし易い。
【００４７】
前記押圧部４１７が前記第一の操作部４１に一体成形されているため、部品点数及び組立工数の削減に奏効する。
【００４８】
なお、本発明は以上に詳述した実施形態に限られるものではない。例えば、第一の操作部と第二の操作部とを一体成形品とすることができ、第一の操作部とラッチとを一体成形することもできる。これらの一体成形を図った変形例を、図９ないし図１４に示す。
【００４９】
図９及び図１０に示す例では、第二の操作部４２の前縁部を第一の操作部４１の窓４１２に樹脂ヒンジを介して連接しているとともに、ラッチ４３の下縁部に弾性体４３４を連続させている。図１０に示す部材の成形後、綴じ具１を組み立てるに際しては、図９に示しているようにラッチ４３と弾性体４３４との連続部分から弾性体４３４を前上方に曲げ、その先端部を第一の操作部４１の上壁近傍に形成したリブ４０１に掛け止める。
【００５０】
図１１及び図１２に示す例では、第二の操作部４２の前縁部を第一の操作部４１の後端に樹脂ヒンジを介して連接しているとともに、ラッチ４３の後縁部から弾性体４３４を前上方に延出させている。図１２に示す部材の成形後、綴じ具１を組み立てるに際しては、図１１に示しているように弾性体４３４の先端部から側方に突出したピン４０２を第一の操作部４１の側壁に形成した係止孔４０３に係止する。本例では、第一の操作部４１の指掛領域４１１が前方、第二の操作部４２の指掛領域４２１が後方にあって、両者の前後関係が逆転している。
【００５１】
図１３及び図１４に示す例では、第二の操作部４２及びラッチ４３の回動方向が上記実施形態とは異なっている。即ち、上記実施形態では押下操作を受けた第二の操作部４２及びラッチ４３が幅方向に伸びる軸周りに回動するが、本例では前後方向に伸びる軸周りに回動する。本例では、第二の操作部４２の内側縁部（左側縁部）を第一の操作部４１に樹脂ヒンジを介して連接している。ラッチ４３の爪４３１は、ラッチ４３の下端部において、外側方（右側方）に突き出している。弾性体４３４は、爪４３１の突出方向とは反対の方向に湾出しており、その上端部を第一の操作部４１に設けたフック４０４に係止するようにしている。ラッチ４３が左右に回動する都合上、ベース２に設けるべきラッチ受け２７も側方を向くものとする。
【００５２】
上述のファイル用綴じ具では、操作レバーが樹脂成形品、ベースが金属成形品であった。従って、操作レバーがベースに対し着脱可能となっていれば、リサイクルまたは廃棄に際して材質毎に部材を分別するのに好都合となる。操作体を着脱可能とする態様を、図１７及び図１８に示す。
【００５３】
本例にあって、ベース６は、その左側縁近傍には前後方向に延伸した筒部６１、６２を有し、幅方向の中間部位には操作レバー７を回動可能に支持するための軸部６３及び起立部６４を設けてある。ベース６の前端側における軸部６３は、後ろ向きに突き出した鉤状をなすように起立し、その後端縁を略細円筒状に曲げて幅方向に伸びる支軸としている。ベース６中央の起立部６４は、操作レバー７の一定以上の上動を規制するストッパになるとともに、操作レバー７のベース６からの離脱を阻止する脱抜防止手段の要素の一つでもある。起立部６４には、幅方向に貫通し上下方向に延伸したスロット６５を穿設する。スロット６５の一部、中間からやや上方に偏倚した箇所には、他の箇所と比して溝幅が拡張した拡張孔６５１を形成しておく。起立部６４の左隣には、左上方から圧縮されて弾性力を発揮するばね６６を装着する。加えて、起立部６４から後方に下がった箇所に、操作レバー７を保定するためのラッチ受け６７を設けている。
【００５４】
操作レバー７は、レバー本体である第一の操作部７１と、第一の操作部７１に対して脱着し得る脱着部７４と、ロック位置に到達した第一の操作部７１をロック位置に保定する保定機構と、第一の操作部７１に付帯し保定機構による第一の操作部７１の保定を解除する第二の操作部７２とを備える。第一の操作部７１は、下方に開口した中空状をなし、基端側即ち前端側を中心として、先端側即ち後端側が上下に回動する。詳述すると、第一の操作部７１の前端部には、前方に開口する側面視凹溝状の軸受部７１１を形成しており、ベース６に設けている軸部６３をその軸心と直交する方向即ち前方から軸受部７１１内に挿入し、軸受部７１１にくわえ込ませることにより、第一の操作部７１を軸支させる。そして、脱着部７４を介して、第一の操作部７１の中間部をベース６の起立部６４に取着している。
【００５５】
脱着部７４は、ベース６の起立部６４の側面に沿って摺動する部材であり、操作レバー７のベース６からの離脱を阻止する脱抜防止手段の要素の一つとなる。脱着部７４の左側面の下端近傍には、左側方に突出した押圧部７４１が存在する。押圧部７４１の下向面は略部分円筒状をなす。押圧部７４１の前後には、押圧部７４１よりも小形の凸部７４２、７４３を設けている。脱着部７４の右側面の下端近傍には、右側方に突出した突起７５が存在する。突起７５は、右側方に進出する基部７５１と基部７５１の先端部位において前後方向に拡張する拡張部７５２とが下面視略Ｌ字型をなすものである。基部７５１の前後幅は、ベース６の起立部６４に穿ったスロット６５の前後幅に略等しいかそれよりも若干小さい。拡張部７５２の前後幅は、スロット６５の前後幅を上回り、拡張孔６５１の前後幅に略等しいかそれよりも若干小さい。この突起７５を、起立部６４の拡張孔６５１を入口として左側方からスロット６５に挿入し、脱着部７４の右側面を起立部６４の左側面に添接させる。突起７５の基部７５１は上下に延伸しているスロット６５に案内され、これにより脱着部７４はスロット６５の延伸範囲内でベース６に対して上下動し得る。脱着部７４の上縁は右側方に幾分張り出して庇のようになっており、脱着部７４が最下位置に至ったときに起立部６４の上縁に当接ないし近接する。また、脱着部７４の上端面には、側面視楔型をなす切り欠き７４４を形成している。
【００５６】
第一の操作部７１の中間部の左側壁には、脱着部７４の押圧部７４１を挿通して左側方に露出させることのできる露出口７１３と、各凸部７４２、７４３を係合させることのできる複数の凹部７１４、７１５とを形成している。また、上壁からは、脱着部７４の上端面の切り欠き７４４に係合させることのできる突片７１６を突き出させている。これらを利用して、脱着部７４を第一の操作部７１に装着することができる。このとき、起立部６４及び脱着部７４の大半部分が、第一の操作部７１の内に収容される。
【００５７】
脱着部７４を第一の操作部７１に装着すると、突起７５の後縁とスロット６５の後縁との係合により第一の操作部７１の後方への変位が禁じられるため、第一の操作部７１の軸受部７１１からベース６の軸部６３が脱抜することがなくなる。つまり、操作レバー７のベース６からの離脱が阻止される。ベース６に取着した操作レバー７の前端側及び後端側は、第二の綴じ桿要素３３、３４の被押圧部であるクランク軸３５を前後に跨ぎ（即ち、前端側がクランク軸３５よりも奥方に位置し、後端側がクランク軸３５よりも手前方に位置する）、その中間（厳密には、操作レバー７の前後方向の中央からやや前方寄り）にある押圧部７４１は、クランク軸３５の直上に位置づけられる。
【００５８】
保定機構は、ラッチ７３によって第一の操作部７１をベース６に係留するものである。ラッチ７３と第二の操作部７２とは一体の部材であり、その部材を第一の操作部７１内に収容して、第一の操作部７１に可動に支持させている。ラッチ７３及び第二の操作部７２は、例えば樹脂成形品の幅狭な板状体である。ラッチ７３は、下方に伸長し、その下端部で後向きに突き出した爪７３１を有している。ラッチ７３の上端近傍における左右の側面からは、ピン７３２、７３３を突出させている。
【００５９】
第一の操作部７１の左右の側壁、押圧部７４１の露出口７１３から後方に下がった箇所の上壁近傍には、軸受孔７１７を穿設しており、これら軸受孔７１７にピン７３２、７３３を挿入することにより、ラッチ７３及び第二の操作部７２を第一の操作部７１に回動可能に支持させている。ラッチ７３の前側、ピン７３２、７３３と爪７３１との中間の高さ位置からは、上下厚が薄く上向きにやや湾曲した板ばね様の弾性体７３４が前上方に向けて伸長している。弾性体７３４の前端部は、第一の操作部７１の上壁に当接する。第二の操作部７２は、ラッチ７３の後側に接合し、そこから後方に延伸している。第二の操作部７２の後端近傍の上面は上方に膨出し、第一の操作部７１の上壁に穿設している窓７１２から突出する。
【００６０】
図１７ないし図１８に示した変形例では、前記ベース６と前記操作レバー７とのうち一方に操作レバー７の回動中心となる軸部６３が設けられ、他方に前記軸部６３をその軸心と直交する方向から挿入してくわえ込む軸受部７１１が設けられており、前記軸部６３の前記軸受部７１１からの脱抜を防止する脱抜防止手段を介して前記ベース６に前記操作レバー７を取着しているため、脱抜防止手段の除却により簡便に操作レバー７をベース６から取り外すことができる。前記脱抜防止手段は、前記ベース６から起立する起立部６４と、前記操作レバー７に対し脱着し得る脱着部７４とを要素とし、前記起立部６４と前記脱着部７４とのうち一方に上下方向に拡張するスロット６５が設けられ、他方に前記スロット６５内に収容されてこのスロット６５に案内される突起７５が設けられているものである。
【００６１】
また、上記実施形態では、保定機構及び第二の操作部を第一の操作部に可動に支持させるようにしていたが、これとは逆に、綴じ具のベースに保定機構及び／または第二の操作部を可動に設ける構成としてもよい。要するに、ベース側にラッチを設け、第一の操作部側にラッチ受けを設けてもよい。その場合、ラッチを駆動操作するための第二の操作部をベース側に配することができる。
【００６２】
さらに、操作体ないし第一の操作部をロック位置に保定する保定機構の態様は、ラッチには限定されない。図１５及び図１６に示す例では、既知のノック式ボールペン等と同様のラチェットを実装した伸縮装置６を、保定機構として操作体４とベース２との間に介設している。伸縮装置の下端部とベース２とは、ヒンジを介して枢着している。図１６に示すアンロック位置にある操作体４を押下操作すると、操作体４を介して押下操作力を受けた伸縮装置６が内蔵しているスプリングの弾性付勢力に抗して収縮し、操作体４が図１５に示すロック位置に降下する。このとき、伸縮装置６は、ラチェットの働きによって収縮状態を維持し、操作体４をロック位置に保定する。操作体４がロック位置にある段階で、操作体４が再度押下されると、伸縮装置６が一旦さらに収縮し、それに伴いラチェットが駆動されて収縮状態を解除し、内蔵しているスプリングの弾性付勢力により伸長して、操作体４を図１５に示すアンロック位置に浮上させる。本例の操作体４では、綴じ桿を閉止する第一の操作部と保定を解除する第二の操作部との区分が存在しない。本例では、伸縮装置６を操作体４の後端部近傍に配しているが、これを操作体４の中間部近傍に配するようにしても構わない。
【００６３】
図１９ないし図２４に示している綴じ具１ｘは、第一の操作部４１ｘを金属成形品とした点に特色を有する。以下、本例の綴じ具１ｘについて説明する。
【００６４】
綴じ具１ｘは、表紙体５に接合するベース２ｘと、ベース２ｘから立ち上がり紙葉類を綴じ止める環状体を形作る綴じ桿３ｘと、綴じ桿３ｘの開閉動作を惹起するべく操作される操作体たる操作レバー４ｘとを主要な構成要素とする。
【００６５】
ベース２ｘは、例えば板金材をプレス加工等してなり、その左側縁近傍には前後方向に延伸した筒部２１ｘ、２２ｘを有する。筒部２１ｘ、２２ｘは、互いに前後方向に離間している。ベース２ｘの幅方向の中間部位には、操作レバー４ｘを回動可能に支持するための軸部２３ｘ及び起立部２４ｘを設けてある。
【００６６】
ベース２ｘの前端側にある軸部２３ｘは、後ろ向きに突き出した鉤状をなすように起立し、その後端縁を略細円筒状に曲げて幅方向に伸びる支軸としている。ベース２ｘ中央にある起立部２４ｘは、操作レバー４ｘの一定以上の上動を規制するストッパになるとともに、操作レバー４ｘのベース２ｘに対する幅方向のがたつきを抑制するために働く。起立部２４ｘには、幅方向に貫通した開口２５ｘを穿っている。開口２５ｘの前縁２５ｘ１は、側面視軸部２３ｘの支軸を中心とした部分円弧状をなす。
【００６７】
図２１、２２に示すように、起立部２４ｘの左隣には、左上方から圧縮されて弾性力を発揮するばね２６ｘを装着する。ばね２６ｘは、例えば金属製の薄板ばねである。
【００６８】
起立部２４ｘから後方即ち軸部２３ｘの反対側に下がった箇所には、操作レバー４ｘを保定するためのラッチ受け２７ｘを設けている。ラッチ受け２７ｘは、前向きに突き出した鉤状をなすように起立している。
【００６９】
綴じ桿３ｘは、第一の綴じ桿要素３１ｘ、３２ｘと、第一の綴じ桿要素３１ｘ、３２ｘに対し相対的に回動する第二の綴じ桿要素３３ｘ、３４ｘとを備え、両綴じ桿要素３１ｘ、３２ｘ、３３ｘ、３４ｘの先端部同士を開閉し得るものである。第一、第二の綴じ桿要素３１ｘ、３２ｘ、３３ｘ、３４ｘはそれぞれ、例えば金属棒またはパイプを曲げ加工してなる。
【００７０】
綴じ桿要素３１ｘ、３２ｘ、３３ｘ、３４ｘの構成は、先に述べた実施形態における綴じ桿３の要素３１、３２、３３、３４と同様である。即ち、ベース２ｘに固定した第一の綴じ桿要素３１ｘ、３２ｘに対して回動する第二の綴じ桿要素３３ｘ、３４ｘの基端に、前後方向に屈曲した回動軸３３１ｘ、３４１ｘを形成するとともに、両回動軸３３１ｘ、３４１ｘの終端同士をクランク軸３５ｘを介して繋いでいる。回動軸３３１ｘ、３４１ｘは、ベース２ｘに設けた筒部２１ｘ、２２ｘにそれぞれ収容する。クランク軸３５ｘは、前後の筒部２１ｘ、２２ｘの間に位置し、上記ばね２６ｘの上方に覆い被さる。このクランク軸３５ｘは、操作レバー４ｘによって上方から押圧される被押圧部となる。
【００７１】
操作レバー４ｘは、綴じ桿３ｘを開放状態にするアンロック位置と綴じ桿３ｘを閉止状態にするロック位置との間で変位する第一の操作部、換言すればレバー本体４１ｘと、ロック位置に到達した第一の操作部４１ｘをロック位置に保定する保定機構と、第一の操作部４１ｘに付帯し保定機構による第一の操作部４１ｘの保定を解除する第二の操作部４２ｘとを備える。
【００７２】
第一の操作部４１は、板金材をプレス加工等してなる金属成形品である。第一の操作部４１ｘは、左右の側壁及び上壁を有して下方に開口した中空状をなし、操作レバー４ｘの外郭を構成する。尤も、図示例では、右側壁の一部、前後方向の中間部を含む領域を切り欠いてある。第一の操作部４１ｘは、前端側を中心として後端側が上下に回動する。
【００７３】
第一の操作部４１ｘの前端部は幅方向に拡張しており、その前端部の両側壁に前方に開口する側面視凹穴状の軸受部４１３ｘ、４１４ｘを形成している。この軸受部４１３ｘ、４１４ｘ内にベース２ｘの軸部２３ｘを前方から挿入し、しかる後軸受部４１３ｘ、４１４ｘ上辺の板金を下方に湾曲ないし屈曲させて軸受部４１３ｘ、４１４ｘ前方の開口を閉じれば、第一の操作部４１ｘひいては操作レバー４ｘを軸部２３ｘ回りに回動可能に支持させることができる。
【００７４】
第一の操作部４１ｘの前後方向の中間部における左側の垂直壁４１０ｘには、折曲加工部４１５ｘを設けている。折曲加工部４１５ｘは、図２１に示すように、垂直壁４１０ｘの下端から一旦右方に屈曲し、その右端部４１５ｘ１で再度左方に屈曲して垂直壁４１０ｘよりも左に延び出した形状をなす。操作レバー４ｘの前端側及び後端側は、第二の綴じ桿要素３３ｘ、３４ｘの被押圧部であるクランク軸３５ｘを前後に跨ぎ（即ち、前端側がクランク軸３５ｘよりも奥方に位置し、後端側がクランク軸３５ｘよりも手前方に位置する）、その中間（厳密には、操作レバー４ｘの前後方向の中央からやや前方寄り）にある折曲加工部４１５ｘは、クランク軸３５ｘの直上に位置する。この折曲加工部４１５ｘの下向面が、クランク軸３５ｘ及びばね２６ｘを押圧する押圧部として機能する。因みに、折曲加工部４１５ｘの左端部４１５ｘ２は、若干下方に湾曲している。
【００７５】
加えて、折曲加工部４１５ｘの右端部４１５ｘ１付近の上向面の一部を切り起こして、突起４１６ｘを形成している。突起４１６ｘは、図２１に示すように、折曲加工部４１５ｘの右端部４１５ｘ１よりも若干右方に突き出し、その右側端で上方に屈折して起立している。さらに、図２２ないし図２４に示すように、突起４１６ｘの右側端において、前縁の少なくとも一部４１６ｘ１を前方に延び出させている。突起４１６ｘは、ベース２ｘ中央の起立部２４ｘに穿った開口２５ｘに左方から差し入り、第一の操作部４１ｘの回動に伴って開口２５ｘの前縁２５ｘ１に沿って上下動する。この突起４１６ｘが開口２５ｘの上縁に当たることにより、第一の操作部４１ｘの一定以上の上動を阻む。また、折曲加工部４１５ｘの右端部４１５ｘ１と突起４１６ｘの右側端の前縁部分４１６ｘ１とが起立部２４ｘ（の開口２５ｘの周縁部）を左右から挟むようにして対向していることから、これら折曲加工部４１５ｘ及び突起４１６ｘと起立部２４ｘとの係わり合いを通じて第一の操作部４１ｘのベース２ｘに対する幅方向のがたつきが抑制される。
【００７６】
折曲加工部４１５ｘから後方に下がった箇所の側壁の上壁近傍には、下記のラッチ４３ｘ及び第二の操作部４２ｘを回動可能に支持するための軸受孔４１７ｘ、４１８ｘを穿っている。その上で、第一の操作部４１ｘの後端近傍の上壁面を、ユーザが手指を掛けて押下操作することのできる指掛領域４１１ｘに設定している。この指掛領域４１１ｘから前方に偏倚した部位には、上壁を上下方向に貫通する窓４１２ｘを形成しておく。
【００７７】
保定機構は、先に述べた実施形態と同様、ラッチ４３ｘによって第一の操作部４１ｘをベース２ｘに係留するものである。ラッチ４３ｘと第二の操作部４２ｘとは一体の部材であり、その部材を第一の操作部４１ｘ内に収容して、第一の操作部４１ｘに可動に支持させている。ラッチ４３ｘ及び第二の操作部４２ｘは、例えば樹脂成形品の幅狭な板状体である。
【００７８】
ラッチ４３ｘは、下方に伸長し、その下端部で後向きに突き出した爪４３１ｘを有する。ラッチ４３ｘの上端近傍における左右の側面からは、ピン４３２ｘ、４３３ｘを突出させている。これらピン４３２ｘ、４３３ｘを、第一の操作部４１ｘの左右の側壁に穿った軸受孔４１７ｘ、４１８ｘに挿入することにより、ラッチ４３ｘ及び第二の操作部４２ｘを第一の操作部４１ｘに回動可能に支持させることができる。
【００７９】
ラッチ４３ｘの前側、ピン４３２ｘ、４３３ｘと爪４３１ｘとの中間の高さ位置からは、上下厚の薄い板ばね様の弾性体４３４ｘが前上方に向けて伸長している。弾性体４３４ｘの前端部は、第一の操作部４１ｘの上壁に接する。
【００８０】
第二の操作部４２ｘは、ラッチ４３ｘの後側に接合し、そこから後方ｘに延伸している。第二の操作部４２ｘの後端近傍の上面は上方に膨出し、第一の操作部４１ｘの上壁に開設した窓４１２ｘから突き出して露出する。この露出部分が、ユーザが手指を掛けて押下操作することのできる指掛領域４２１ｘとなる。第二の操作部４２ｘの指掛領域４２１ｘは、ちょうど第一の操作部４１ｘの指掛領域４１１ｘの前方に隣接する。
【００８１】
綴じ具１ｘの使用時の動作を述べる。第一の操作部４１ｘが図２３に示すアンロック位置に浮上しているとき、綴じ桿３ｘは開放状態となる。即ち、ばね２６ｘの付勢力によってクランク軸３５ｘが図２１中実線で示しているように左上方に押し上げられ、第二の綴じ桿要素３３ｘ、３４ｘが回動軸３３１ｘ、３４１ｘ周りに左方に回動して、第二の綴じ桿要素３３ｘ、３４ｘの先端部が第一の綴じ桿要素３１ｘ、３２ｘの先端部から離間する。その際、下方に湾曲している折曲加工部４１５ｘの左端部４１５ｘ２がクランク軸３５ｘに掛かり、クランク軸３５ｘ及び第二の綴じ桿要素３３ｘ、３４ｘのそれ以上の左行を抑止する。
【００８２】
ユーザが指掛領域４１１ｘに手指を掛けて第一の操作部４１ｘを押下操作すると、操作レバー４ｘ全体が軸部２３ｘを中心として下方に回動する。第一の操作部４１ｘがロック位置に向かい変位する過程で、折曲加工部４１５ｘの下向面がクランク軸３５を押圧し、ばね２６ｘを圧縮しながらクランク軸３５ｘを右下方に下降させる。さすれば、図２１中鎖線で示しているように第二の綴じ桿要素３３ｘ、３４ｘが回動軸３３１ｘ、３４１ｘ周りに右方に回動し、最終的に第二の綴じ桿要素３３ｘ、３４ｘの先端部が第一の綴じ桿要素３１ｘ、３２ｘの先端部に接合する。
【００８３】
そして、第一の操作部４１ｘがロック位置に近づくにつれ、爪４３１ｘの後縁がラッチ受け２７ｘの前縁に当接する。そこからさらに第一の操作部４１ｘが降下すると、爪４３１ｘがラッチ受け２７ｘによって前方に押され、爪４３１ｘがラッチ受け２７ｘから逃げるようにラッチ４３ｘ及び第二の操作部４２ｘが第一の操作部４１ｘ内でピン４３２ｘ、４３３ｘ回りに回動する。同時に、前端部を第一の操作部４１ｘの上壁に当接させている弾性体４３４ｘが、突っ張るように弾性変形して弾性力を蓄える。第一の操作部４１ｘが完全に降下すれば、爪４３１ｘの後縁がラッチ受け２７ｘの前縁から離れ、爪４３１ｘを前方に押していた力が失われるので、弾性体４３４ｘの付勢力でラッチ４３ｘ及び第二の操作部４２ｘがピン４３２ｘ、４３３ｘ回りに逆回動して元位置に復帰する。結果、図２４に示しているように、保定機構のラッチ４３ｘの爪４３１ｘがベース２ｘのラッチ受け２７ｘに係合し、第一の操作部４１ｘをロック位置に保定する。これにより、折曲加工部４１５ｘがクランク軸３５ｘ及び第二の綴じ桿要素３３ｘ、３４ｘを拘束して綴じ桿３ｘを閉止状態に維持する。
【００８４】
第一の操作部４１ｘが図２４に示すロック位置にある状況下で、ユーザが指掛領域４２１に手指を掛けて第二の操作部４２ｘを押下操作すると、弾性体４３４ｘの付勢力に抗してラッチ４３ｘ及び第二の操作部４２ｘが第一の操作部４１ｘ内でピン４３２ｘ、４３３ｘ回りに回動し、爪４３１ｘが前方に変位してラッチ受け２７ｘから離反する。既に述べた通り、ばね２６ｘは圧縮を受けており、クランク軸３５ｘを左上方に押し上げる弾性力を蓄えている。つまるところ、第一の操作部４１ｘは、折曲加工部４１５ｘ及びクランク軸３５ｘを介して、ロック位置からアンロック位置に向かう上方向に弾性付勢されている。従って、ラッチ４３ｘとラッチ受け２７ｘとの係合による保定が解除された時点で、速やかに操作レバー４ｘが上方に回動して図２３に示すアンロック位置に至るとともに、折曲加工部４１５ｘによる拘束から解放されたクランク軸３５ｘ及び第二の綴じ桿要素３３ｘ、３４ｘが左方に回動して綴じ桿３ｘが開放状態となる。
【００８５】
図１９ないし図２４に示した例によれば、紙葉類を綴じ止めるための開閉可能な綴じ桿３ｘと、押下操作を受けて前記綴じ桿３ｘを開放状態にするアンロック位置から綴じ桿３ｘを閉止状態にするロック位置へと変位し保定機構を介してロック位置に保定され、かつロック位置にあるときに押下操作を受けて保定機構によるロック位置への保定を解除する操作体４ｘとを具備する綴じ具１ｘを構成したため、綴じ桿３ｘの閉止／開放の各々を、指一本での押下操作によって行うことが可能となる。また、操作体４ｘを引き上げる操作に伴ってファイル全体が持ち上がってしまう不具合も避けられる。
【００８６】
紙葉類を綴じ止めるための開閉可能な綴じ桿３ｘと、押下操作を受けて前記綴じ桿３ｘを開放状態にするアンロック位置から綴じ桿３ｘを閉止状態にするロック位置へと変位する第一の操作部４１ｘと、前記ロック位置に到達した前記第一の操作部４１ｘをロック位置に保定する保定機構と、押下操作を受けて前記保定機構による前記第一の操作部４１ｘの保定を解除する第二の操作部４２ｘとを具備する綴じ具１ｘを構成したため、ユーザが直感的に操作を行うことができる。
【００８７】
前記第一の操作部４１ｘが、前記ロック位置から前記アンロック位置に向かう方向に弾性付勢されているため、第二の操作部４２ｘを押下するワンタッチ操作で速やかに綴じ桿３ｘを開放状態とすることができる。
【００８８】
前記綴じ桿３ｘが、第一の綴じ桿要素３１ｘ、３２ｘと、第一の綴じ桿要素３１ｘ、３２ｘに対し相対的に回動する第二の綴じ桿要素３３ｘ、３４ｘとを備え、両綴じ桿要素３１ｘ、３２ｘ、３３ｘ、３４ｘの先端部同士を開閉するものであり、前記第二の綴じ桿要素３３ｘ、３４ｘの基端部から回動軸３３１ｘ、３４１ｘの軸心と交差する方向に突出した被押圧部３１５ｘが設けられる一方、前記第一の操作部４１ｘが、基端側を中心に先端側が上下に回動するものであり、その基端側と先端側との間に前記被押圧部３１５ｘを上方から押圧する下向面を有した押圧部４１５ｘが設けられているため、従前のファイルの如くトグル作用を利用するものにはならず、綴じ桿３ｘの開放を行う際に大きな操作力を加える必要がない。
【００８９】
前記保定機構が、前記綴じ桿３ｘの足場となるベース２ｘに前記第一の操作部４１ｘを係留するためのラッチ４３ｘを有し、前記ラッチ４３ｘ及び前記第二の操作部４２ｘが前記第一の操作部４１ｘに可動に支持され、かつ前記ラッチ４３ｘが係合するラッチ受け２７ｘが前記ベース２ｘに設けられているならば、第二の操作部４２ｘの位置を第一の操作部４１ｘに無理なく近接させることができ、ユーザが綴じ具１ｘの使用方法に迷う懸念がない。
【００９０】
前記第一の操作部４１ｘの先端側に手指を掛けることのできる指掛領域４１１ｘが設定され、前記第一の操作部４１ｘの指掛領域４１１ｘから基端側に偏倚した部位に、前記第二の操作部４２ｘにおける手指を掛けることのできる指掛領域４２１ｘが設定されているため、第一の操作部４１ｘの回動操作に有利な先端近傍に第一の操作部４１ｘの指掛領域４１１ｘを配置でき、並びに、第二の操作部４２ｘの指掛領域４１１ｘを第一の操作部４１ｘの指掛領域４１１ｘに自然な形で隣接させることができる。
【００９１】
前記ラッチ４３ｘと前記第二の操作部４２ｘとが一体の部材として構成されているため、機構の単純化に奏効する。
【００９２】
前記ラッチ４３ｘと、ラッチ４３ｘを前記ラッチ受け２７ｘに係合させる方向に弾性付勢する弾性体４３４ｘとが一体の部材として構成されており、前記第二の操作部４２ｘが受ける操作力により前記ラッチ４３ｘが前記弾性体４３４ｘの付勢力に抗して前記ラッチ受け２７ｘから離反するものとしており、部品点数を削減できる。
【００９３】
前記第一の操作部４１ｘが下方に開口した中空状をなし、その内に前記第二の操作部４２ｘが収容されるとともに、第一の操作部４１ｘの下方に前記ラッチ４３ｘが突出しているものとしたため、操作体４ｘ全体としてコンパクト化する。また、第二の操作部４２ｘ、ラッチ４３ｘ等の比較的小形の部品を露骨に表出させずに済み、美観が高まる。
【００９４】
前記第一の操作部４１ｘに上方に開口した窓４１２ｘが設けられ、その窓４１２ｘから前記第二の操作部４２ｘにおける手指を掛けることのできる指掛領域４２１ｘが露出しているため、第二の操作部４２ｘの押下操作がし易い。
【００９５】
前記押圧部４１５ｘを前記第一の操作部４１ｘに一体成形したため、部品点数及び組立工数の削減に奏効する。
【００９６】
前記ベース２ｘから起立する起立部２４ｘに開口２５ｘが形成され、前記第一の操作部４１ｘに、前記起立部２４ｘの開口２５ｘ内に挿入されその縁部に沿って上下動する突起４１６ｘが一体成形されているため、起立部２４ｘと突起４１６ｘとの係わり合いを通じて第一の操作部４１ｘのベース２ｘに対するがたつきを抑制することができる。
【００９７】
前記第一の操作部４１ｘは板金材をプレス加工等してなる金属成形品であるので、低コストで作製できる上、その剛性も適切に確保できる。また、綴じ桿３ｘやベース２ｘは金属製であり、第一の操作部４１ｘを金属製とすることで綴じ具１ｘ全体の統一感をも具現できる。
【００９８】
その他各部の具体的構成は、本発明の趣旨を逸脱しない範囲で種々変形が可能である。
【図面の簡単な説明】
【００９９】
【図１】本実施形態の綴じ具を採用したファイルを示す要部斜視図。
【図２】同ファイルの要部斜視図。
【図３】本実施形態の綴じ具を示す分解斜視図。
【図４】同綴じ具の正断面図。
【図５】同綴じ具の平面図。
【図６】同綴じ具の側断面図。
【図７】同綴じ具の側断面図。
【図８】同綴じ具の側断面図。
【図９】本発明の変形例の一を示す要部側面図。
【図１０】同変形例を示す要部側断面図。
【図１１】本発明の変形例の一を示す要部側面図。
【図１２】同変形例を示す要部側断面図。
【図１３】本発明の変形例の一を示す要部斜視図。
【図１４】同変形例を示す要部正断面図。
【図１５】本発明の変形例の一を示す要部側面図。
【図１６】同変形例を示す要部側面図。
【図１７】本発明の変形例の一を示す分解斜視図。
【図１８】同変形例を示す側断面図。
【図１９】本発明の変形例の一の綴じ具を採用したファイルを示す要部斜視図。
【図２０】同変形例を示す分解斜視図。
【図２１】同変形例を示す正断面図。
【図２２】同変形例を示す平面図。
【図２３】同変形例を示す側面図。
【図２４】同変形例を示す側面図。
【符号の説明】
【０１００】
１、１ｘ…綴じ具
３、３ｘ…綴じ桿
３５、３５ｘ…被押圧部
４、７、４ｘ…操作体（操作レバー）
４１、７１、４１ｘ…第一の操作部
４１７、７４１、４１５ｘ…押圧部
４２、７２、４２ｘ…第二の操作部
４３、７３、４３ｘ…保定機構のラッチ
【図１】
0005097977.tif 000002
【図２】
0005097977.tif 000003
【図３】
0005097977.tif 000004
【図４】
0005097977.tif 000005
【図５】
0005097977.tif 000006
【図６】
0005097977.tif 000007
【図７】
0005097977.tif 000008
【図８】
0005097977.tif 000009
【図９】
0005097977.tif 000010
【図１０】
0005097977.tif 000011
【図１１】
0005097977.tif 000012
【図１２】
0005097977.tif 000013
【図１３】
0005097977.tif 000014
【図１４】
0005097977.tif 000015
【図１５】
0005097977.tif 000016
【図１６】
0005097977.tif 000017
【図１７】
0005097977.tif 000018
【図１８】
0005097977.tif 000019
【図１９】
0005097977.tif 000020
【図２０】
0005097977.tif 000021
【図２１】
0005097977.tif 000022
【図２２】
0005097977.tif 000023
【図２３】
0005097977.tif 000024
【図２４】
0005097977.tif 000025